(57)【特許請求の範囲】
【請求項１】
画像入力装置と、
加熱条件を登録可能なメニュー記憶部と
を具備し、
上記画像入力装置は、
タッチパネルを有する表示部と、
ユーザーの指または接触物体の接触により上記タッチパネルが操作されたとき、上記タッチパネルから受けた操作信号に基づいて上記表示部を制御する制御装置と
を備え、
上記表示部は、同一画面上に、
ユーザーの指または接触物体の接触の軌跡に沿って画像を描くことが可能である共に、全体画像の一部を拡大表示して描画する拡大描画エリアと、
上記拡大描画エリアに描かれた画像の全体画像を表示するプレビューエリアと
を有し、
上記制御装置は、
上記拡大描画エリアの描画状態に上記プレビューエリアの一部分の表示状態を自動的に同期させる表示同期部と、
上記拡大描画エリアの描画状態と自動的に同期する上記プレビューエリアの一部分を囲む枠を表示する枠表示部と
を有し、
上記タッチパネルにユーザーの指または接触物体を接触させることにより、上記プレビューエリアの任意の箇所に上記枠を移動させることが可能であり、
上記全体画像を、上記加熱条件と関連付けて上記メニュー記憶部に登録可能にし、かつ、上記加熱条件と共に表示装置に表示可能としたことを特徴とする加熱調理器。
【請求項２】
請求項１に記載の加熱調理器において、
ユーザーの指または接触物体が上記プレビューエリア内に接触すると、ユーザーの指または接触物体の接触位置に対応する位置へ上記枠が移動することを特徴とする加熱調理器。
【請求項３】
請求項１または２に記載の加熱調理器において、
上記拡大描画エリアに描かれた画像は、部分的に消去可能であると共に、全体的に消去可能であることを特徴とする加熱調理器。
【発明の詳細な説明】
【技術分野】
【０００１】
本発明は、加熱調理器に関する。
【背景技術】
【０００２】
従来、画像入力装置としては、特開２００５−１９０１９９号公報(特許文献１)に開示されたものがある。この画像入力装置は、文字画像を描く描画エリアを備えており、描画エリア上でペン先を摺動させると、ペン先の軌跡が描画エリアに表示される。
【０００３】
しかしながら、上記従来の画像入力装置において、描画エリアよりも広いエリアの全体に渡って文字画像を描く場合、文字画像の描画が終わりに近づくと、描画前半の文字画像が描画エリア外に出てしまう。このため、上記文字画像の描画後半では、描画前半の文字画像を確認できない。したがって、上記描画前半の文字画像と描画後半の文字画像とのバランスを取るのが難しくなる。その結果、上記描画エリアを使って描いた画像の全体画像のバランスが悪くなることがあるという問題があった。
【０００４】
この問題は、上記従来の画像入力装置を小型化するために描画エリアを小さくした場合、例えば、上記描画エリアの大きさを一文字画像を描ける程度にした場合、生じ易くなる。
【先行技術文献】
【特許文献】
【０００５】
【特許文献１】特開２００９−２１１７０６号公報(図６)
【発明の概要】
【発明が解決しようとする課題】
【０００６】
そこで、本発明の課題は、全体画像のバランスを保つことができる画像入力装置を備えた加熱調理器を提供することにある。
【課題を解決するための手段】
【０００７】
上記課題を解決するため、本発明の加熱調理器は、
画像入力装置と、
加熱条件を登録可能なメニュー記憶部と
を具備し、
上記画像入力装置は、
タッチパネルを有する表示部と、
ユーザーの指または接触物体の接触により上記タッチパネルが操作されたとき、上記タッチパネルから受けた操作信号に基づいて上記表示部を制御する制御装置と
を備え、
上記表示部は、同一画面上に、
ユーザーの指または接触物体の接触の軌跡に沿って画像を描くことが可能である共に、全体画像の一部を拡大表示して描画する拡大描画エリアと、
上記拡大描画エリアに描かれた画像の全体画像を表示するプレビューエリアと
を有し、
上記制御装置は、
上記拡大描画エリアの描画状態に上記プレビューエリアの一部分の表示状態を自動的に同期させる表示同期部と、
上記拡大描画エリアの描画状態と自動的に同期する上記プレビューエリアの一部分を囲む枠を表示する枠表示部と
を有し、
上記タッチパネルにユーザーの指または接触物体を接触させることにより、上記プレビューエリアの任意の箇所に上記枠を移動させることが可能であり、
上記全体画像を、上記加熱条件と関連付けて上記メニュー記憶部に登録可能にし、かつ、上記加熱条件と共に表示装置に表示可能としたことを特徴としている。
【０００８】
上記構成によれば、上記ユーザーの指または接触物体の接触の軌跡に沿って画像を描くことが可能である共に、全体画像の一部を拡大表示して描画する拡大描画エリアと、拡大描画エリアに描かれた画像の全体画像を表示するプレビューエリアとが、同一画面上にあるので、拡大描画エリアに全体画像の一部を描くときに、全体画像の他の部分との位置関係や大きさ関係を確認しながら、拡大描画エリアに全体画像の一部を描くことができる。したがって、上記全体画像のバランスを保つことができる。
【０００９】
しかも、上記拡大描画エリアは全体画像の一部を拡大表示するものだから、拡大描画エリアを大きくすることができる。
また、上記表示同期部によって、プレビューエリアの一部分の表示状態が拡大描画エリアの描画状態と自動的に同期するので、拡大描画エリアに画像を描くとき、全体画像の他の画像との位置関係や大きさ関係を確認するためだけの操作を行わずに済む。したがって、ユーザーの操作負担を低減できる。
また、上記枠表示部の枠の表示によって、拡大描画エリアの描画状態と自動的に同期するプレビューエリアの一部分が識別し易くなる。
また、上記加熱調理器が画像入力装置を備えるので、ユーザーがバランス良く描いた画像を表示部に表示させることができる。
また、上記加熱調理器において、ユーザーが考えたオリジナル設定を登録できる機能がある場合、このオリジナル設定に上記画像を関連付けすることができる。したがって、上記表示部が上記画像を表示すれば、ユーザーは、一目で、オリジナル設定を想起できるので、オリジナル設定の誤採用を防ぐことができる。
一実施形態の加熱調理器では、
ユーザーの指または接触物体が上記プレビューエリア内に接触すると、ユーザーの指または接触物体の接触位置に対応する位置へ上記枠が移動する。
一実施形態の加熱調理器では、
上記拡大描画エリアに描かれた画像は、部分的に消去可能であると共に、全体的に消去可能である。
【００１０】
一実施形態の加熱調理器では、
上記プレビューエリアで指定した座標または範囲をもとに、上記拡大描画エリアに描画する範囲を決定する。
【００１１】
上記実施形態によれば、上記プレビューエリアで指定した座標または範囲をもとに、拡大描画エリアに描画する範囲を決定するので、全体画像のバランスを容易に取ることができる。
【００１２】
【００１３】
【００１４】
【００１５】
【００１６】
【００１７】
【００１８】
【００１９】
【００２０】
【００２１】
【００２２】
【００２３】
【発明の効果】
【００２４】
本発明の加熱調理器によれば、タッチパネルを有する表示部と、ユーザーの指または接触物体の接触によりタッチパネルが操作されたとき、タッチパネルから受けた操作信号に基づいて表示部を制御する制御装置とを備え、表示部は、同一画面上に、ユーザーの指または接触物体の接触の軌跡に沿って画像を描くことが可能である共に、全体画像の一部を拡大表示して描画する拡大描画エリアと、拡大描画エリアに描かれた画像の全体画像を表示するプレビューエリアとを有することによって、全体画像の他の部分との位置関係や大きさ関係を確認しながら、拡大描画エリアに全体画像の一部を描くことができるので、全体画像のバランスを保つことができる。
【００２５】
さらに、上記拡大描画エリアは全体画像の一部を拡大表示するものだから、拡大描画エリアを大きくすることができる。
【００２６】
【００２７】
【００２８】
本発明の加熱調理器は、本発明の画像入力装置を備えるので、ユーザーがバランス良く描いた画像を表示部に表示させることができる。
【００２９】
また、上記加熱調理器において、ユーザーが考えたオリジナル設定を登録できる機能がある場合、このオリジナル設定に上記画像を関連付けすることができる。したがって、上記表示部が上記画像を表示すれば、ユーザーは、一目で、オリジナル設定を想起できるので、オリジナル設定の誤採用を防ぐことができる。
【図面の簡単な説明】
【００３０】
【図１】図１は本発明の一実施形態の加熱調理器の正面斜視図である。
【図２】図２は上記加熱調理器の縦断面の模式図である。
【図３】図３は上記加熱調理器の操作パネルの概略正面図である。
【図４】図４は図３のＦ４−Ｆ４線矢視の模式断面図である。
【図５】図５は上記加熱調理器の制御ブロック図である。
【図６】図６は上記加熱調理器のカラー液晶表示部にトップ操作画面が表示された操作パネルの正面図である。
【図７】図７は上記カラー液晶表示部に表示されたトップ操作画面を示す図である。
【図８】図８は上記カラー液晶表示部に表示された「マイメニュー」の画面を示す図である。
【図９】図９は上記カラー液晶表示部に表示された「オリジナルメニュー登録」の画面を示す図である。
【図１０】図１０は上記カラー液晶表示部に表示された「オリジナルメニュー登録」の他の画面を示す図である。
【図１１】図１１は上記カラー液晶表示部に表示させるオリジナルメニューのメニュー名の入力方法を説明するための一画面を示す図である。
【図１２】図１２は上記カラー液晶表示部に表示させるオリジナルメニューのメニュー名の入力方法を説明するための他の画面を示す図である。
【図１３】図１３は上記カラー液晶表示部に表示させるオリジナルメニューのメニュー名の入力方法を説明するための他の画面を示す図である。
【図１４】図１４は上記カラー液晶表示部に表示させるオリジナルメニューのメニュー名の入力方法を説明するための他の画面を示す図である。
【図１５】図１５は上記カラー液晶表示部に表示させるオリジナルメニューのメニュー名の入力方法を説明するための他の画面を示す図である。
【図１６】図１６は上記カラー液晶表示部に表示させるオリジナルメニューのメニュー名の入力方法を説明するための他の画面を示す図である。
【図１７】図１７は上記カラー液晶表示部に表示させるオリジナルメニューのメニュー名の入力方法を説明するための他の画面を示す図である。
【図１８】図１８は上記カラー液晶表示部に表示させるオリジナルメニューのメニュー名の入力方法を説明するための他の画面を示す図である。
【図１９】図１９は上記カラー液晶表示部に表示させるオリジナルメニューのメニュー名の入力方法を説明するための他の画面を示す図である。
【図２０】図２０は上記カラー液晶表示部に表示させるオリジナルメニューのメニュー名の入力方法を説明するための他の画面を示す図である。
【図２１】図２１は上記カラー液晶表示部に表示させるオリジナルメニューのメニュー名の入力方法を説明するための他の画面を示す図である。
【図２２】図２２は上記カラー液晶表示部に表示させるオリジナルメニューのメニュー名の入力方法を説明するための他の画面を示す図である。
【図２３】図２３は上記カラー液晶表示部に表示させるオリジナルメニューのメニュー名の入力方法を説明するための他の画面を示す図である。
【図２４】図２４は上記カラー液晶表示部に表示させるオリジナルメニューのメニュー名の入力方法を説明するための他の画面を示す図である。
【図２５】図２５は上記カラー液晶表示部に表示させるオリジナルメニューのメニュー名の入力方法を説明するための他の画面を示す図である。
【図２６】図２６は上記カラー液晶表示部に表示させるオリジナルメニューのメニュー名の入力方法を説明するための他の画面を示す図である。
【図２７】図２７は上記カラー液晶表示部に表示させるオリジナルメニューのメニュー名の入力方法を説明するための他の画面を示す図である。
【図２８】図２８は上記オリジナルメニューのメニュー名の登録後の「オリジナルメニュー登録」の画面を示す図である。
【図２９】図２９は上記カラー液晶表示部に表示された「オリジナルメニュー」の画面を示す図である。
【発明を実施するための形態】
【００３１】
以下、本発明を図示の実施の形態により詳細に説明する。
【００３２】
図１は本発明の一実施形態の画像入力装置を備えた加熱調理器の正面斜視図を示している。
【００３３】
上記加熱調理器は、図１に示すように、直方体形状のケーシング１の正面に、下端側の辺を略中心に回動する扉２が取り付けられている。この扉２の上部にハンドル３を取り付けると共に、扉２の略中央に耐熱ガラス４を取り付けている。また、扉２の右側に操作パネル５を設けている。この操作パネル５は、表示部の一例としてのカラー液晶表示部６と、ボタン群７とを有している。また、ケーシング１の上側かつ右側後方に排気ダクト８を設けている。さらに、ケーシング１の扉２の下方に、露受容器９を着脱自在に取り付けている。
【００３４】
図２は上記加熱調理器の縦断面の模式図を示している。図２に示すように、水タンク１１から供給された水を蒸気発生装置１２で加熱して飽和水蒸気を生成する。蒸気発生装置１２で生成された飽和水蒸気は、蒸気供給通路(図示せず)を介して、加熱庫１３の右側面に取り付けられた循環ユニット１４の蒸気吸込口１５の加熱庫１３側に供給される。
【００３５】
上記蒸気供給通路に接続された蒸気供給管３４を、加熱庫１３の右側面と平行になるように、循環ユニット１４の蒸気吸込口１５の近傍に取り付けている。また、循環ユニット１４内には、蒸気吸込口１５に対向するように循環ファン１８を配置している。循環ファン１８は、ファンモータ１９によって回転駆動される。
【００３６】
上記加熱庫１３の上面および左側面を覆うように、Ｌ字状に屈曲した蒸気ダクト１００を取り付けている。この蒸気ダクト１００は、加熱庫１３の上面側に固定された第１ダクト部１１０と、第１ダクト部１１０の左側方から下側に屈曲する屈曲部１２０と、加熱庫１３の左側面側に固定され、屈曲部１２０を介して第１ダクト部１１０に連なる第２ダクト部１３０とを有している。
【００３７】
この蒸気ダクト１００の第１ダクト部１１０に、過熱蒸気生成ヒータ２０を収納している。蒸気ダクト１００の第１ダクト部１１０と、過熱蒸気生成ヒータ２０で過熱蒸気生成装置２１を構成している。なお、過熱蒸気生成装置は、蒸気ダクトとは別に設けてもよい。
【００３８】
そして、蒸気ダクト１００の第１ダクト部１１０の右側は、循環ユニット１４の上部に設けられた蒸気供給口２２に連通している。加熱庫１３の天面には、複数の第１蒸気吹出口２４が設けられており、蒸気ダクト１００の第１ダクト部１１０は、第１蒸気吹出口２４を介して加熱庫１３内に連通している。一方、蒸気ダクト１００の第２ダクト部１３０は、加熱庫１３の左側面に設けられた複数の第２蒸気吹出口２５を介して加熱庫１３内に連通している。
【００３９】
上記加熱庫１３と蒸気ダクト１００との隙間は、耐熱樹脂などによりシールされている。また、加熱庫１３と蒸気ダクト１００は、加熱庫１３の前面開口を除いて断熱材により覆われている。
【００４０】
上記循環ユニット１４と過熱蒸気生成装置２１と加熱庫１３とそれらを接続する接続部材とによって、蒸気の循環経路が形成されている。そして、この循環経路における循環ユニット１４の加熱庫１３との境界部に、蒸気発生装置１２で生成された飽和水蒸気が供給される。
【００４１】
また、上記加熱庫１３の下部にはマグネトロン８０(図５に示す)が配置されている。このマグネトロンで発生したマイクロ波は、導波管(図示せず)によって加熱庫１３の下部中央に導かれ、モータ３７によって駆動される回転アンテナ３８によって攪拌されながら加熱庫１３内の上方に向かって放射されて被加熱物２７を加熱する。
【００４２】
また、ケーシング１内の下側には、冷却ファン部(図示せず)と、電装部品１７と、マグネトロン８０(図５に示す)を配置している。電装部品１７は、加熱調理器の各部を駆動する駆動回路やこの駆動回路を制御する制御回路等を有している。
【００４３】
図３は図１に示す操作パネル５を拡大した概略図である。
【００４４】
上記ボタン群７は、戻るキー７１、取り消しキー７２、手動加熱キー７３およびあたためスタートキー７４で構成されている。戻るキー７１は、カラー液晶パネル６１の画面表示を直前の画面表示に戻すときに押す。また、取り消しキー７２は、途中で加熱をやめるときや、操作を取り消すときに押す。そして、手動加熱キー７３は、高周波出力および加熱出力を手動で設定するときに押す。また、あたためスタートキー７４は、加熱を開始するときに押す。
【００４５】
図４は図３のＦ４−Ｆ４線から見た模式断面図である。
【００４６】
上記カラー液晶表示部６は、カラー液晶パネル６１上にタッチパネル６２を重ねて構成されている。なお、本発明の表示部は、液晶パネルに限らず、有機ＥＬなどの他の表示デバイスを用いてもよく、カラー表示に限らず、白黒表示でもよい。
【００４７】
このカラー液晶パネル６１は、文字、数字、写真等をカラー表示できるものであり、加熱の種類、料理名、加熱時間、温度、料理の写真等を表示する。また、タッチパネル６２は、ユーザーが指でタッチすると、表面電荷を変化させる透明素材からなる静電容量方式のタッチパネルである。これにより、ユーザーはタッチパネル６２をタッチして、カラー液晶パネル６１に表示される画像を選択できるようになっている。また、ユーザーがタッチパネル６２をタッチして、カラー液晶パネル６１に表示される選択可能な画像を選択すると、その画像の色が変わるようになっている。つまり、カラー液晶パネル６１に表示される画像は、選択状態の色が非選択状態の色と異なるようになっている。なお、タッチパネル６２は、例えば、抵抗膜方式、表面弾性波方式、赤外線方式または電磁誘導方式のタッチパネルに換えてもよく、また、指によるタッチパネルの操作だけでなく、接触物体(例えばタッチペンなどのペン状物体)を用いて操作してもよい。
【００４８】
図５は上記加熱調理器の制御ブロック図を示している。この加熱調理器は、マイクロコンピュータと入出力回路などからなる制御装置２００を電装品部１７(図２に示す)内に備えている。制御装置２００は、過熱蒸気生成ヒータ２０,循環ファン用モータ１９,冷却ファン用モータ１６,給気ダンパ用モータ４４,排気ダンパ用モータ６０,操作パネル５,庫内温度センサ２９,解凍センサ５０,給水ポンプ７０,蒸気発生装置１２およびマグネトロン８０が接続されている。操作パネル５からの信号および庫内温度センサ２９,解凍センサ５０からの検出信号に基づいて、制御装置２００は、過熱蒸気生成ヒータ２０,循環ファン用モータ１９,冷却ファン用モータ１６,給気ダンパ用モータ４４,排気ダンパ用モータ６０,操作パネル５,給水ポンプ７０,蒸気発生装置１２およびマグネトロン８０などを制御する。
【００４９】
上記制御装置２００は、後述するオリジナルメニュー登録でユーザーが作成した画像などを記憶する画像記憶部２００ａと、ユーザーの入力に応じて画像の描画を制御する画像描画制御部２００ｂと、カラー液晶パネル６１の表示に応じた加熱調理を行う加熱調理実行部２００ｃと、拡大描画エリアＤＡ(図１３参照)の描画状態に枠ＦＲ１(図１３参照)内の表示状態を同期させる表示同期部２００ｄと、枠ＦＲ１,ＦＲ２(図１３参照)などを表示する枠表示部２００ｅとを有している。この制御装置２００と操作パネル５で画像入力装置の一例を構成している。また、枠表示部２００ｅは識別表示部の一例である。
【００５０】
上記構成の加熱調理器において、過熱蒸気によって加熱調理を行う場合には、図２に示す過熱蒸気生成ヒータ２０をオンすると共に、循環ファン１８を回転駆動する。そうして、蒸気発生装置１２から循環ユニット１４の蒸気吸込口１５の近傍上流側に供給された飽和水蒸気は、循環ファン１８の回転によって負圧になっている循環ユニット１４内に蒸気吸込口１５を介して吸い込まれて、蒸気供給口２２から過熱蒸気生成装置２１内に吹き出される。そして、過熱蒸気生成装置２１の過熱蒸気生成ヒータ２０によって加熱されて過熱蒸気となる。この過熱蒸気の一部は、下側の加熱庫１３の天面に設けられた複数の第１蒸気吹出口２４から、加熱庫１３内に下方に向かって吹き出す。また、過熱蒸気の他の一部は、蒸気ダクト１００を介して加熱庫１３の第２蒸気吹出口２５から加熱庫１３内に吹き出す。
【００５１】
そして、上記加熱庫１３内に供給された過熱蒸気は、トレイ３０上の網４０に搭載された被加熱物２７を加熱した後、加熱庫１３の右壁面に循環ユニット１４の蒸気吸込口１５に対向して形成された吸込口２８から循環ユニット１４内に吸い込まれる。そうして、再び循環経路を通って加熱庫１３内に戻るという循環を繰り返す。
【００５２】
これに対して、非過熱蒸気によって被加熱物２７を蒸すかまたは暖める運転を行う場合には、過熱蒸気生成ヒータ２０をオフすると共に、循環ファン１８を停止する。そうすると、循環ファン１８が停止しているため、循環経路内に循環気流が発生することがなく、蒸気発生装置１２から循環ユニット１４の蒸気吸込口１５の近傍上流側に供給された飽和水蒸気は、循環ユニット１４内に強制的に吸い込まれない。これにより、蒸気圧によって自然に加熱庫１３内に流れ込む飽和水蒸気により、被加熱物２７を蒸すかまたは暖める。
【００５３】
ここで、上記加熱庫１３内の左壁面および右壁面には、図２に示すように、トレイ３０の両端部を係止する係止部３９a,３９b,３９cが上下方向に３段に設けられている。そして、蒸気供給管３４は、上段の係止部３９aよりもやや上側に位置するように配置されている。「蒸し暖めモード」において、被加熱物２７を搭載した２つのトレイ３０を上段と中段とに配置する場合には、蒸気導入室３６内に架設された蒸気供給管３４の総てのノズル(図２の３４の円形部の左側開口)を加熱庫１３方向に斜め下向きにしておく。こうすることにより、被加熱物２７を搭載したトレイ３０が上段および中段の何れの位置にあっても、蒸気供給管３４の斜め下向きのノズルから引き出された飽和水蒸気を被加熱物２７に当てることができる。したがって、蒸気供給管３４のノズルからの吹き出し方向を操作することなく、上中２段の被加熱物２７に蒸し斑や暖め斑が生ずることがないようにできる。
【００５４】
次に、「マイメニュー」について操作パネル５の操作を説明する。
【００５５】
図６はトップ操作画面がカラー液晶表示部６に表示された操作パネルの正面図を示しており、図３と同一の構成部は同一参照番号を付している。また、図７は上記カラー液晶表示部６に表示されたトップ操作画面を拡大して示している。
【００５６】
図７に示すトップ操作画面は、加熱調理器の電源プラグ(図示せず)をコンセントに差し込んだ後、カラー液晶パネル６１が最初に表示する画面である。
【００５７】
上記カラー液晶パネル６１のトップ操作画面には画像Ｇ１〜Ｇ８,Ｇ９Ａ,Ｇ９Ｂが表示される。画像Ｇ１は、冷えた料理等を温めるときに選択すべき画像であり、エビフライの絵画像と、「あたためる」の文字画像とを含んでいる。画像Ｇ２は、蒸し物や煮物を作るときに選択すべき画像であり、鍋および蒸籠の絵画像と、「蒸す・煮る」の文字画像とを含んでいる。画像Ｇ３は、料理集内の３００種類以上のメニューから希望のメニューを探すときに選択すべき画像であり、本の絵と、「お料理集」の文字画像とを含んでいる。画像Ｇ４は、牛乳や酒を適温に温めるときに選択すべき画像であり、コップおよび徳利の絵画像と、「牛乳・酒」の文字画像を含んでいる。画像Ｇ５は、焼き物およびフライ物を作るときに選択すべき画像であり、ローストチキンの絵画像と、「焼く・フライ」の文字画像とを含んでいる。画像Ｇ６は、健康メニューを使いたいときに選択すべき画像であり、元気な人をイメージさせる絵画像と、「健康メニュー」の文字画像とを含んでいる。画像Ｇ７は、お気に入りの料理や、オリジナルの料理を作るときに選択すべき画像であり、押しピンの絵画像と、「マイメニュー」の文字画像とを含んでいる。画像Ｇ８は、冷凍食材等を解凍するときに選択すべき画像であり、雪の結晶の絵画像と、「解凍する」の文字画像とを含んでいる。
【００５８】
また、上記画像Ｇ９Ａは、代表的なメニューを調理するときの基本的な操作を説明する「料理教室」を見たいときに選択すべき画像であり、画像Ｇ９Ｂは、設定やお手入れ(除菌など)を行いたいときに選択すべき画像である。ここで、「料理教室」とは、代表的なメニューを調理するときの基本的な操作をカラー液晶表示部６に表示して説明する。
【００５９】
このような構成の初期画面が表示されているときに、ユーザーが、画像Ｇ７に重なるタッチパネル６２の一部にタッチすると、カラー液晶パネル６１の画面は初期画面から「マイメニュー」の画面に切り換わる。つまり、ユーザーの画像Ｇ７の選択により、カラー液晶パネル６１が図８に示す「マイメニュー」の画面を表示する。
【００６０】
図８はカラー液晶表示部６に表示された「マイメニュー」の画面を示している。この「マイメニュー」の画面の中央より上側には、画像Ｇ１１(「お気に入りメニュー」)が表示されている。図示しないが、画像Ｇ１１を指のタッチで選択することにより、よく使う自動メニューを１６メニューまで登録することができる。また、上記「マイメニュー」の画面の中央より下側には、２つの画像Ｇ１２(「オリジナルメニュー」),Ｇ１３(「登録・変更」)が左右方向に並んで表示されている。画像Ｇ１３と画像Ｇ１２は、横方向において互いに近接している。そして、上記画像Ｇ１３を指のタッチで選択すると、図９に示す「オリジナルメニュー登録」の画面に表示が切り替わる。これにより、ユーザー独自のオリジナルメニューを２５メニューまで登録することができる。
【００６１】
図９では画像Ｇ１４(「未登録」)が中央に表示されている。この画像Ｇ１４の斜め右上方には、「オリジナルメニュー登録」の画面の第１画面であることを示すＧ１５(「１／２５」)が表示されている。また、画像Ｇ１４の下側には、画像Ｇ１６(「＜前へ」),Ｇ１７(「登録・変更」),Ｇ１８(次へ＞)が左右方向に並んで表示されている。この画像Ｇ１７を指のタッチで選択すると、図１０に示すように、登録・変更する項目を選択するための画面に切り換わる。なお、図示しないが、「オリジナルメニュー登録」の画面は、上記第１画面以外にも、第２画面〜第２５画面がある。
【００６２】
図１０では、画像Ｇ３１(「メニュー名」,「未登録」),Ｇ３２(「写真」,「未登録」),Ｇ３３(「加熱条件」,「未登録」),Ｇ３４(「登録完了」)が上下方向に並んで表示されている。また、画像Ｇ３４の下側には、画像Ｇ３５(「削除する」),Ｇ３６(「このメニューを先頭に移動する」)が左右方向に並んで表示されている。この画像Ｇ３１,Ｇ３２,Ｇ３３は、オリジナルメニューのメニュー名、写真および加熱条件が登録されていないことを示している。
【００６３】
上記画像Ｇ３１を指のタッチで選択すると、図１１に示すように、オリジナルメニューのメニュー名を入力するための画面に切り換わる。
【００６４】
また、上記画像Ｇ３２を指のタッチで選択すると、図示しないが、ユーザーが取った写真を登録するための画面に切り換わり、その写真とオリジナルメニューのメニュー名を関連付けできるようになっている。
【００６５】
また、上記画像Ｇ３３を指のタッチで選択すると、図示しないが、過熱蒸気の使用の有無、予熱の有無、調理段数、加熱温度および加熱時間などを設定するための画面に切り換わり、ユーザー独自の加熱条件を設定できるようになっている。
【００６６】
また、上記画像Ｇ３４の文字色を画像Ｇ３１,Ｇ３２,Ｇ３３の文字色より薄くすると共に、画像Ｇ３５,Ｇ３６の文字色を画像Ｇ３５,Ｇ３６の背景色と略同じにして、画像Ｇ３４,Ｇ３５,Ｇ３６の選択が不可能であることを直感的に判るようにしている。
【００６７】
図１１に示す画面では、ユーザーの指または接触物体(例えばタッチペンなどのペン状物体)の接触の軌跡に沿って画像を描くことが可能な拡大描画エリアＤＡが大部分を占めている。そして、拡大描画エリアＤＡの上側には、拡大描画エリアＤＡに描かれた画像の全体画像を表示するプレビューエリアＰＡがある。この拡大描画エリアＤＡは、プレビューエリアＰＡよりも大きい描画面積を有し、プレビューエリアＰＡに表示される全体画像の一部を拡大表示して描画する。一方、拡大描画エリアＤＡの下側には、描画色を選択するための画像Ｇ３０１,Ｇ３０２,Ｇ３０３,Ｇ３０４,Ｇ３０５が左右方向に並んで選択可能に表示されている。さらに、画像Ｇ３０１,Ｇ３０２,Ｇ３０３,Ｇ３０４,Ｇ３０５の下側には、絵または文字を示す画像Ｇ３０６,Ｇ３０７,Ｇ３０８,Ｇ３０９が左右方向に並んで選択可能に表示されている。
【００６８】
上記プレビューエリアＰＡの一部は枠ＦＲ１で囲まれて、拡大描画エリアＤＡに描いた絵画像や文字画像が枠ＦＲ１内に表示されるようになっている。すなわち、枠ＦＲ１内の表示状態は、表示同期部２００ｅ(図５参照)により、拡大描画エリアＤＡの描画状態と自動的に同期するようになっている。これにより、枠ＦＲ１がプレビューエリアＰＡの左端に位置している状態で、拡大描画エリアＤＡに絵画像や文字画像を描いた場合、この絵画像や文字画像がプレビューエリアＰＡの左端に自動的に表示される。また、枠ＦＲ１を右側に移動させることが可能であることを判り易くするため、枠ＦＲ１の右側に右方向矢印ＲＡを表示している。図１０では枠ＦＲ１がプレビューエリアＰＡの左端に位置しているが、プレビューエリアＰＡの左右方向の中央部を指のタッチで選択すると、図１２に示す画面に切り換わる。なお、枠ＦＲ１は枠表示部２００ｆ(図５参照)によって表示されている。また、上記枠ＦＲ１の座標または範囲をもとに、拡大描画エリアＤＡに描画する範囲が決定するようになっている。
【００６９】
上記画像Ｇ３０１,Ｇ３０２,Ｇ３０３,Ｇ３０４,Ｇ３０５は黒,赤,青,橙,緑で塗り潰されている。この画像Ｇ３０１,Ｇ３０２,Ｇ３０３,Ｇ３０４,Ｇ３０５のうちのいずれか１つを選択することにより、この選択した画像の色で拡大描画エリアＤＡに絵画像や文字画像を描けるようになっている。
【００７０】
上記画像Ｇ３０６は鉛筆の絵画像を含み、また、画像Ｇ３０７は消しゴムの絵画像を含み、また、画像Ｇ３０８は２枚の紙が重なっている状態の絵画像を含み、また、画像Ｇ３０９は「決定」の文字画像を含んでいる。
【００７１】
そして、図１０の画面から図１１の画面に切り換わった直後、ユーザーが何ら操作しなくても、画像Ｇ３０１,Ｇ３０６が選択された状態となっている。この状態を示すため、画像Ｇ３０１,Ｇ３０６を枠ＦＲ２,ＦＲ３で囲んでいる。
【００７２】
図１２に示す画面では、枠ＦＲ１がプレビューエリアＰＡの左右方向の中央部に位置している。この状態で、拡大描画エリアＤＡに絵画像や文字画像を描くと、この絵画像や文字画像がプレビューエリアＰＡの左右方向の中央部に表示させることができるようになっている。また、枠ＦＲ１を左右両側に移動させることが可能であることを判り易くするため、枠ＦＲ１の左側に左方向矢印ＬＡを表示すると共に、枠ＦＲ１の右側に右方向矢印ＲＡを表示している。このような状態において、画像Ｇ３０３を指のタッチで選択すると、図１３に示す画面に切り換わる。また、上記状態において、画像Ｇ３０３以外の画像Ｇ３０２,Ｇ３０４,Ｇ３０５も選択可能であるし、画像Ｇ３０７,Ｇ３０８,Ｇ３０９も選択可能である。すなわち、枠ＦＲ１の位置に関係なく、画像Ｇ３０１,Ｇ３０２,Ｇ３０３,Ｇ３０４,Ｇ３０５のうちの１つを任意に選択できると共に、画像Ｇ３０６,Ｇ３０７,Ｇ３０８,Ｇ３０９のうちの１つを任意に選択できるようになっている。
【００７３】
図１３に示す画面では、枠ＦＲ１がプレビューエリアＰＡの左右方向の中央部に位置し、かつ、画像Ｇ３０３,Ｇ３０６が選択されている。この状態で、拡大描画エリアＤＡ上のタッチパネル６２の一部に指を接触させたまま動かすと、青色の線画像が拡大描画エリアＤＡに表示される。このとき、上記指の接触移動の速度が早すぎても、拡大描画エリアＤＡに表示される線が点線でなく一本の線となるように、画像描画制御部２００ｂ(図５参照)が画像の描画を制御する。また、上記指の接触移動の軌跡が「あ」となるように、指を動かすと、図１４に示すように、「あ」を示す青色の文字画像ＣＧ１が拡大描画エリアＤＡに表示される。
【００７４】
図１４に示す画面では、青色の文字画像ＣＧ１の縮小画像に相当する青色の文字画像ＣＧ２が枠ＦＲ１内に表示されている。逆の言い方をすれば、文字画像２１１内の文字画像ＣＧ２が拡大描画エリアＤＡに拡大表示されている状態とも言える。ここで、レイヤ機能を使うため、画像Ｇ３０８を指のタッチで選択すると、図１５に示す画面に切り換わる。
【００７５】
図１５に示す画面では、画像Ｇ３０８が選択されている状態であることを示すため、画像Ｇ３０８を枠ＦＲ３で囲んでいる。また、画像Ｇ３０６,Ｇ３０７,Ｇ３０８,Ｇ３０９の上側には、絵および文字を示す画像Ｇ３１０,Ｇ３１１が左右方向に並んで選択可能に表示されている。この画像Ｇ３１０は、黒紙上に白紙が重なっている状態の絵画像と、「上にかく」という文字画像とを含んでいる。一方、画像Ｇ３１１は、白紙上に黒紙が重なっている状態の絵画像と、「下にかく」という文字画像とを含んでいる。
【００７６】
また、図１４の画面から図１５の画面に切り換わった直後、ユーザーが何ら操作しなくても、画像Ｇ３１０が選択された状態となっている。この状態を示すため、画像Ｇ３１０を枠ＦＲ４で囲んでいる。そして、上記画像Ｇ３０８を指のタッチで選択するか、あるいは、画像Ｇ３１１を指のタッチで選択すると、図１６に示す画面に切り換わる。
【００７７】
図１６に示す画面では、画像Ｇ３１１が選択されている状態であることを示すため、画像Ｇ３１１を枠ＦＲ４で囲んでいる。この状態で、上記画像Ｇ３０８を指のタッチで選択するか、あるいは、画像Ｇ３１０を指のタッチで選択すると、図１５に示す画面に戻る。また、上記状態で、画像Ｇ３０６を指のタッチで選択すると、図１７に示す画面に切り換わる。
【００７８】
図１７に示す画面では、再び、画像Ｇ３０６,Ｇ３０７,Ｇ３０８,Ｇ３０９の上側に画像Ｇ３０１,Ｇ３０２,Ｇ３０３,Ｇ３０４,Ｇ３０５が左右方向に並んで選択可能に表示される。このとき、画像Ｇ３０１,Ｇ３０２,…,Ｇ３０８のうち、レイヤ設定が始まる直前に選択されていたものが選択状態となる。すなわち、画像Ｇ３０３,Ｇ３０６が選択されている状態となる。この状態で、画像Ｇ３０５を指のタッチで選択すると、図１８に示す画像に切り換わる。
【００７９】
また、図１６の状態で、拡大描画エリアＤＡ上のタッチパネル６２の一部に指を接触させたまま動かすと、図１９に示すように、緑色の線画像ＬＧ１を描けるようになっている。このとき、図１６の画像Ｇ３１１を選択していたことにより、青色の文字画像ＣＧ１と緑色の線画像ＬＧ１が互いに交差する部分は青色となり、青色の文字画像ＣＧ１下に緑色の線画像ＬＧ１があるかのような表示になる。そして、枠ＦＲ１の移動と拡大描画エリアＤＡへの描画とを行うことにより、図２０に示すように、プレビューエリアＰＡの左右方向の中央部より右側に、「じ」を示す緑色の文字画像ＣＧ３と、「の」を示す緑色の文字画像ＣＧ４とを表示させることができる。このような状態で、画像Ｇ３０７を指のタッチで選択すると、図２１に示す画面に切り換わる。
【００８０】
図２１に示す画面では、画像Ｇ３１２が選択されている状態であることを示すため、画像Ｇ３１２を枠ＦＲ５で囲んでいる。また、画像Ｇ３０６,Ｇ３０７,Ｇ３０８,Ｇ３０９の上側には、絵および文字を示す画像Ｇ３１２,Ｇ３１３が左右方向に並んで選択可能に表示されている。この画像Ｇ３１２は、消しゴムの絵画像と、「消しゴム」という文字画像とを含んでいる。一方、画像Ｇ３１３は、点線円の絵画像と、「全消し」という文字画像とを含んでいる。このような状態で、プレビューエリアＰＡ上のタッチパネル６２の一部に指を接触させたまま移動させると、青色の文字画像ＣＧ１,ＣＧ２と緑色の線画像ＬＧ１,ＬＧ２とを部分消去することができる。例えば図２２に示すように、「あ」の一部が消えた青色の文字画像ＣＧ１’と、横線の一部が消えた緑色の線画像ＬＧ１’とを、拡大描画エリアＤＡに表示せることができる。これと共に、青色の文字画像ＣＧ１’の縮小画像に相当する青色の文字画像ＣＧ２’と、緑色の線画像ＬＧ１’の縮小画像に相当する緑色の線画像ＬＧ２’とを、枠ＦＲ１内に自動的に表示させることができる。このような状態で、画像Ｇ３１３を指のタッチで選択すると、図２３に示す画面に切り換わる。
【００８１】
図２３に示す画面では、画像Ｇ３１３が選択されている状態であることを示すため、画像Ｇ３１３を枠ＦＲ５で囲んでいる。この状態で、タッチパネル６２において拡大描画エリアＤＡに重なる部分に指がタッチすると、文字画像ＣＧ１’,ＣＧ２’および線画像ＬＧ１’,ＬＧ２’の全部を消去して、図２４に示すような状態にできる。すなわち、指のワンタッチで画像の全消去ができる。この状態で、プレビューエリアＰＡの右端に重なるタッチパネル６２の一部を指でタッチすると、図２５に示すように、プレビューエリアＰＡの右端に枠ＦＲ１を移動し、緑色の文字画像ＣＧ４の拡大画像に相当する緑色の文字画像ＣＧ５が拡大描画エリアＤＡに表示される。この状態でも、指のワンタッチで、文字画像ＣＧ４,ＣＧ５の全部を消去して、図２６に示すような状態にできる。
【００８２】
このように、上記拡大描画エリアＤＡに描いた画像がプレビューエリアＰＡでプレビューされるので、他の画像との位置関係や大きさ関係を確認しながら、拡大描画エリアＤＡに画像を描くことができる。したがって、例えば図２７に示すように、花の絵画像を背景とする「おばあちゃんのさといも」の文字画像を画面の上部にバランス良く描くことができる。すなわち、「おばあちゃんのさといも」の全体画像のバランスを保つことができる。
【００８３】
また、上記拡大描画エリアＤＡの描画面積はプレビューエリアＰＡの描画面積よりも大きいので、拡大描画エリアＤＡに画像を入力し易くなっている。
【００８４】
また、上記枠ＦＲ１内の表示状態が拡大描画エリアＤＡの描画状態と自動的に同期するので、枠ＦＲ１内の表示状態を拡大描画エリアＤＡの描画状態に同期させるためのだけの操作は不要である。したがって、ユーザーの操作負担を低減できる。
【００８５】
また、上記プレービューエリアＰＡにおいて拡大描画エリアＤＡと対応している部分は枠ＦＲ１で囲んでいるので、拡大描画エリアＤＡに描いている画像が、完成画像のどこに位置するかを容易かつ正確に推測できる。
【００８６】
また、上記プレービューエリアＰＡにおいて拡大描画エリアＤＡと対応している部分は枠ＦＲ１で囲んでいるので、その部分を視覚的に判り易くすることができる。
【００８７】
また、上記枠ＦＲ１はプレービューエリアＰＡの任意の箇所に移動可能であるから、枠ＦＲ１をプレビューエリアＰＡの任意の箇所に移動させて、その箇所に画像を描いたり、その箇所に描かれている画像を修正することができる。
【００８８】
図２７は、メニュー名を入力するための最終画面の一例を示す図。この最終画面は、上述したような操作を行って、花の絵画像を背景とする「おばあちゃんのさといも」の文字画像を描いた後、画像Ｇ３０９を指のタッチで選択することで表示される画面である。
【００８９】
上記最終画面では、中央部に画像Ｇ３１４(「はい」),Ｇ３１５(「いいえ」)が左右方向に並んで表示されている。また、上記最終画面の上端部には最終確認エリアＣＡがあり、花の絵画像を背景とする「おばあちゃんのさといも」の文字画像を最終確認エリアＣＡで最終確認することができるようになっている。ここで、画像Ｇ３１４を指のタッチで選択すると、図２８に示す「オリジナルメニュー登録」の画面に切り換わる一方、画像Ｇ３１５を指のタッチで選択すると、直前の画面に切り換わる。
【００９０】
図２８では、画像Ｇ３１’(「メニュー名」,「登録」),Ｇ３２,Ｇ３３,Ｇ３４’(「登録完了」)が上下方向に並んで表示されている。この画像Ｇ３４’は、画像Ｇ３４(図１０参照)に比べて文字色が濃くなっていて、選択可能な状態であることを示している。また、画像Ｇ３４’の下側には、画像Ｇ３５’(「削除する」),Ｇ３６’(「このメニューを先頭に移動する」)が左右方向に並んで表示されている。この画像Ｇ３５’,Ｇ３６’は、文字色が背景色と異なっていて、選択可能な状態であることを示している。
【００９１】
そして、上記画像Ｇ３３を指のタッチで選択して加熱条件を登録した後、図８の画像Ｇ１２を指のタッチで選択すると、図２９に示すオリジナルメニュー画面になる。
【００９２】
上記オリジナルメニュー画面の上端部には、図２９に示すように、画像Ｇ３１４(図２７参照)の画像を指のタッチで選択することで確定した、花の絵画像を背景とする「おばあちゃんのさといも」の文字画像が表示されている。そして、上記文字画像の下側には、画像Ｇ２１(「ウォーターオーブン」,「パン・シュー」),Ｇ２２(「予熱なし」,「１段」),Ｇ２３(「１６０℃」),Ｇ２４(「２３分００秒」)が上下方向に並んで表示されている。また、画像Ｇ２４の下側には、画像Ｇ１６,Ｇ１９ (「決定」),Ｇ１８が左右方向に並んで表示されている。この画像Ｇ１９を指のタッチで選択すると、そのオリジナルメニュー画面の表示内容に沿った加熱調理を行うことができる。
【００９３】
また、上記オリジナルメニュー画面のような画面は２５個登録できるが、図２９に示すように、花の絵画像を背景とする「おばあちゃんのさといも」の文字画像が表示されることによって、ユーザーは、一目で、どのようなオリジナルメニューであるかを想起できるので、所望としないオリジナルメニューの加熱調理が選択される可能性を非常に低くすることができる。
【００９４】
また、上記実施形態では、プレビューエリアＰＡにおいて拡大描画エリアＤＡに対応する部分を枠ＦＲ１で囲んでいたが、その部分を他の部分と異なる色にしたり、点滅させたりしてもよい。
【００９５】
また、上記実施形態では、画像Ｇ３０１〜Ｇ３０５,Ｇ３０６〜Ｇ３０８,Ｇ３１０およびＧ３１１,画像Ｇ３１２およびＧ３１３のどれが選択状態であるかを示すために枠ＦＲ２,ＦＲ３,ＦＲ４,ＦＲ５を用いていたが、選択状態の画像を非選択状態の画像よりも少し大きく表示したり、非選択状態の画像だけを透けて見えるように表示したりしてもよい。
【００９６】
また、上記実施形態では、２つのレイヤを作成できるようにしていたが、３つ以上のレイヤを作成できるようにしてもよい。
【００９７】
また、上記実施形態では、枠ＦＲ１は、指のタッチでプレビューエリアＰＡの任意の箇所に移動可能な構成としていたが、例えば、操作パネル５に設けたボタンの操作でプレビューエリアＰＡの任意の箇所に移動可能な構成としてもよい。
【００９８】
本発明の具体的な実施形態および変形例について説明したが、本発明は上記実施形態および変形例に限定されるものではなく、本発明の範囲内で種々変更して実施することができる。例えば、加熱調理器以外の家電機器(炊飯器,冷蔵庫,掃除機,テレビジョン受像機,空気調和機,電気カミソリおよび照明器具など)、携帯電話、玩具などが、制御装置２００と操作パネル５またはこれに類似するものを備えてもよい。
【００９９】
本発明の加熱調理器としては、例えば、過熱水蒸気を使用するオーブンレンジのみならず、過熱水蒸気を使用するオーブン、過熱水蒸気を使用しないオーブンレンジ、過熱水蒸気を使用しないオーブンなどがある。
【０１００】
本発明の加熱調理器では、オーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱室内は過熱水蒸気または飽和水蒸気が充満して低酸素状態となることにより、食品の酸化を抑制した調理が可能となる。ここで、低酸素状態とは、加熱室内において酸素の体積％が１０％以下(例えば０．５〜３％)である状態を指す。
【符号の説明】
【０１０１】
５…操作パネル
６…カラー液晶表示部
６１…カラー液晶パネル
６２…タッチパネル
２００…制御装置
２００ａ…画像記憶部
２００ｂ…画像描画制御部
２００ｃ…加熱調理実行部
２００ｄ…表示同期部
２００ｅ…枠表示部
ＰＡ…プレビューエリア
ＤＡ…拡大描画エリア
ＦＲ２,ＦＲ３,ＦＲ４,ＦＲ５…枠
ＣＧ１,ＣＧ１’,ＣＧ２,ＣＧ２’,ＣＧ３,ＣＧ４,…文字画像
ＬＧ１,ＬＧ１’,ＬＧ２,ＬＧ２’…線画像
【図１】
0005901163.tif 000002
【図２】
0005901163.tif 000003
【図３】
0005901163.tif 000004
【図４】
0005901163.tif 000005
【図５】
0005901163.tif 000006
【図６】
0005901163.tif 000007
【図７】
0005901163.tif 000008
【図８】
0005901163.tif 000009
【図９】
0005901163.tif 000010
【図１０】
0005901163.tif 000011
【図１１】
0005901163.tif 000012
【図１２】
0005901163.tif 000013
【図１３】
0005901163.tif 000014
【図１４】
0005901163.tif 000015
【図１５】
0005901163.tif 000016
【図１６】
0005901163.tif 000017
【図１７】
0005901163.tif 000018
【図１８】
0005901163.tif 000019
【図１９】
0005901163.tif 000020
【図２０】
0005901163.tif 000021
【図２１】
0005901163.tif 000022
【図２２】
0005901163.tif 000023
【図２３】
0005901163.tif 000024
【図２４】
0005901163.tif 000025
【図２５】
0005901163.tif 000026
【図２６】
0005901163.tif 000027
【図２７】
0005901163.tif 000028
【図２８】
0005901163.tif 000029
【図２９】
0005901163.tif 000030